(57)【要約】      （修正有）【課題】電気回路配列の微細化により、すべての電気回路を一枚の電気回路板に集中させ、装置全体の容積を大幅に縮小した一種の超小型電源装置を提供する。【解決手段】基板上のスロットに挿入し、該基板は電子装置本体に取り付ける。該装置に電気コネクタ１０を設け、該電気コネクタの一表面に複数の端子を向かい合わせて整然に配列して設ける。該端子は導電シート１２をそれぞれ装入し、該導電シートはスロットと電気導通する。該導電シートの他端は電気コネクタ２３、２４もう一つの表面に突き出し設け、突き出された該導電シートの間に電気供給基板２０を通し、該電気供給基板を外部電源及び他の電子装置に接続する。これにより、電源装置の厚みが薄くなったため、導電シートを両側から中央部に集中することにより、電気コネクタ全体の容積を減少し、装置全体を小さくできる。【選択図】図３
0003138936.tif 000002
【実用新案登録請求の範囲】
【請求項１】
基板のスロットに挿入し、該基板は電子装置本体内部に固定し、該装置は少なくとも、
電気導通、該電気コネクタ一つの表面に向かい合わせて配列され、突き出して複数の導電シートを設け、該導電シートは中間付近場所に設け、該電気コネクタもう一つの表面に端子を設け、該端子内部に導電シート他端の串刺し接続に備え、スロットと電気導通を形成する構成部品と、
電気供給基板、該電気コネクタに備える導電シートの間に設け、該電気供給基板の表面に複数の導電接点を設け、該導電接点の数及び場所は導電シートに対応して設け、該電気供給基板上に電気入力コネクタと電気出力コネクタをそれぞれ設け、電気出力コネクタは外部直流電源に接続して、該電気供給基板より基板に必要な電源を提供、該電気出力コネクタは電子装置本体内部他の電子装置と接続し、必要な電源を提供する構成部品と、を含み、
この構造により、該電気供給基板は該導電シートの間に挿入でき、導電シートは中央部に集中することにより、電気コネクタ全体の容積の小型化により、装置全体を小さくなり、接触不良を軽減できる一種の超小型電源装置。
【請求項２】
該電気入力コネクタは外部の直流電源に接続することを特徴とする請求項１記載の超小型電源装置。
【請求項３】
該直流入力電源は６〜４８Ｖであることを特徴とする請求項２記載の超小型電源装置。
【請求項４】
該電気出力コネクタは直流電源を提供することを特徴とする請求項１記載の超小型電源装置。
【請求項５】
該直流出力電源は３．３、５、＋１２Ｖ、５ＶＳＢ（５Ｖ電源待機）であることを特徴とする請求項４記載の超小型電源装置。
【請求項６】
該電気供給基板は導電シートの間に挿入し、半田付け方式より固定することを特徴とする請求項１記載の超小型電源装置。
【請求項７】
該電気供給基板は導電シートの間に挿入し、該導電シートの間でクランプ方式より固定することを特徴とする請求項１記載の超小型電源装置。
【請求項８】
該電気出力コネクタはＰＳＯＮ（電源始動制御信号）を提供することを特徴とする請求項１記載の超小型電源装置。
【請求項９】
該電気出力コネクタはＰＷＲＧＯＯＤ制御信号（電源準備済み信号）を提供することを特徴とする請求項１記載の超小型電源装置。
【請求項１０】
該電気供給基板の外周部にモールド成型部材よりモールド注入成型方式により、電気入力コネクタと一体化に結合することを特徴とする請求項１記載の超小型電源装置。
【考案の詳細な説明】
【技術分野】
【０００１】
本考案は一種の超小型電源装置に関わるものである。
主に電気回路配列の微細化により、すべての電気回路を１枚の電気回路板に集中させ、装置全体の容積を大幅に縮小する。
【背景技術】
【０００２】
科学の日進月歩につれて、電子技術も向上され、もはや電子製品は現代人生活に欠かせない要素となり、各種の電子製品も軽薄短小及び多機能化を目標としている。
そして、この種の軽薄短小構造の電子製品はスペースの小型化が要求されるため、より集積度の高い電子部品を使用しなければならない。
【０００３】
図１に示す通り、公知技術の超小型電源装置は電気コネクタ１００を有する。
該電気コネクタ１００の一面に二列の端子１０１を設け、該端子１０１は基板上のスロット（Ｓｌｏｔ）に挿入する（図示しない）。
さらに、該電気コネクタ１００はもう一つの面の両側は各端子１０１に挿入される導電シート１０２を設け、該導電シート１０２は突出した格好で設け、該導電シート１０２の間に電気供給基板２００を設け、該電気供給基板２００は二枚の電気基板より構成する。該電気基板上に複数の電子部品を設ける。
さらに、該電気基板上に電気入力コネクタ２０１と電気出力コネクタ２０２をそれぞれ設ける。そのうち、該電気コネクタ２０１は装置外部の電源に接続する。該電気出力コネクタ２０２は他の電子装置に接続（ＣＤ−ＲＯＭ、ハードディスクのような３．３Ｖ又は５Ｖなどの電源を使用する装置）して置き、必要な電気を供給する。
さらに、該電気基板表面の導電シート１０２と接触する端は、これに対応して導電接点２０３（通称:ゴールドフィンガー）を設け、該導電シート１０２を導電接点２０３に接続し、電気経路を形成する。
【考案の開示】
【考案が解決しようとする課題】
【０００４】
しかしながら、電気供給基板２００は二枚の電気基板を並列し重ねて取り付けるため、容積が増大するばかりでなく、電気コネクタ１００の導電シート１０２同士の距離を増やしてしまい、電気コネクタ１００両側の表面に取り付けざるを得ない。
このため、接触不良が起こりやすいほか、装置全体の小型化も困難がある。
【課題を解決するための手段】
【０００５】
本考案は公知技術の前記した欠点に対する改良を図る。
【０００６】
基板上のスロットに挿入し、該基板は電子装置本体内部に取り付ける。該装置は少なくとも電源装置と電気コネクタを含まれる。
そのうち、該電気供給基板上に電気入力コネクタ、電気出力コネクタ、電子部品及び導電接点（通称:ゴールドフィンガー）を設け、該電気入力コネクタは外部の直流電源に接続し、該電気出力コネクタは他の電子装置電子装置に接続して、必要な直流電源を供給する。
該電子部品より、電気供給基板の作動を提供する。
該導電接点の一端は電子部品に接続し、他端は電気供給基板表面に突き出して設ける。
そのうち、該電気コネクタ一つの表面に複数の整然に配列し向かい合わせて突き出す導電シートを設ける。
該導電シートの取り付け場所並びにその数は導電接点に合わせる。
該導電シートは中央部付近場所に設け、該導電シート同士は導電接点挿入可能な距離を設ける。
該導電シートは導電接点と緊密に接触させ、電気供給基板と電気コネクタを一体化に結合させる。
該電気コネクタもう一つの表面に端子を設け、該端子内部は導電接点他端の串刺し接続に備える。
該端子は基板上のスロットに挿入して電気を導通する。
これにより、電源装置の厚みを従来の装置より薄くなり、導電シートを両側から中央部に集中させ、電気コネクタ全体容積の小型化を実現し接触不良を軽減できる、一種の超小型電源装置を提供することを本考案の一目的である。
【０００７】
直流入力電源は６〜４８Ｖを用いる、一種の超小型電源装置を提供することを本考案もう一つの目的である。
【０００８】
直流出力電源は３．３、５、＋１２Ｖ、５ＶＳＢ（５Ｖ電源待機）を用いる、一種の超小型電源装置を提供することを本考案もう一つの目的である。
【考案の効果】
【０００９】
該電源装置の外周部にモールド成型部材（シリコン、プラスチックなど）をモールド注入成型方式により、電気コネクタと一体化に結合して、簡素化、整然の外観を有する、一種の超小型電源装置を提供することを本考案もう一つの目的である。
【考案を実施するための最良の形態】
【００１０】
本考案の目的、形状、構造、装置、特徴及びその効果のさらなる認識と理解を図るため、以下の通り実施例と図式を合わせて、その詳細を説明する。
【実施例】
【００１１】
本考案は一種の超小型電源装置であって、主に基板３０のスロット３１に挿入し、該基板３０を電子装置本体内部に取り付ける。
【００１２】
図２、３、４Ａ、５に示す通り、該装置に電気コネクタ１０を設け、該電気コネクタ１０一つの表面は、二列列に配列された複数の端子１１を設け、該端子１１同士は一定の間隔を置いて向かい合わせる。
それらの端子１１内部に導電シート１２を串刺して置き、該端子１１を電子装置本体内部基板３０のスロット（Ｓｌｏｔ）３１に挿入（図５）して、電気導通を形成する。
【００１３】
さらに、該導電シート１２の他端は該電気コネクタ１０もう一つの表面に突き出す。
該導電シート１２は該電気コネクタ１０の中央部付近場所に設け、該向かい合わせて突き出して設ける導電シート１２同士は一定の間隔を置く、該間隔に一つの電気供給基板２０を設ける。
本実施例において、電気回路板を用いる。
該電気供給基板２０と導電シート１２と接触する端の表面に導電接点２１（通称:ゴールドフィンガー）を設ける。
該導電接点２１の数及び設置場所は導電シート１２に合わせる。
電気供給基板２０をその間に挿設したとき、該導電シート１２により、クランプ又は半田付け方式により、該電気コネクタ１０に固定する。さらに導電シート１２と導電接点２１との接触により、電気を導通する。
【００１４】
さらに、該電気供給基板２０上は設計された複数の電子部品２２を配置し、該電気供給基板２０はさらに電気入力コネクタ２３及び電気出力コネクタ２４を設ける。
そのうち、該電気入力コネクタ２３は外部の直流電源に接続する（図示しない）。
本実施例において、外部直流電源は６〜４８Ｖを用いる。電気供給基板２０より基板３０の必要電源を提供する。
該電気出力コネクタ２４は他の電子装置（図示しない）に接続して、必要な直流電源を提供する。
該直流電気出力側はＰＳＯＮ制御信号（電源始動制御信号）、ＰＷＲＧＯＯＤ信号（電源準備済み信号）及び３．３、５、＋１２Ｖ、５ＶＳＢ（５Ｖ電源待機）のなどの直流電源を提供できる。
【００１５】
図４Ａ、４Ｂ、５、６に示す通り、該電気供給基板２０は導電シート１２の間に挿入及び固定した上、電気コネクタ１０の端子１１を基板３０のスロット３１に挿入して、端子１１内部に備える導電シート１２とスロット３１との電気導通を形成する。
この構造により、本考案の電気供給基板２０は公知技術の装置に比べて薄くなり、導電シート１２を両側から中央部に集中させ、電気コネクタ１０全体の容積を縮小できるため、装置全体も小型化となり、接触不良を軽減できる。
該電気供給基板２０の外周部にモールド成型部材４０（シリコン、プラスチックなど）をモールド注入成型方式により、電気コネクタ１０と一体化に結合して、本考案の全体をより簡素化、整然した外観を仕上げることができる。
【図面の簡単な説明】
【００１６】
【図１】公知技術の装置の概略図である。
【図２】本考案の立体分解概略図である。
【図３】本考案の立体概略図である。
【図４Ａ】本考案を組み合わせたときの正面概略図である。
【図４Ｂ】本考案の組み合わせたときの断面側視図である。
【図５】本考案を実施するときの立体概略図である。
【図６】本考案を実施するとき、電気供給基板外周部におけるモールド成型の立体概略図である。
【符号の説明】
【００１７】
１００  電気コネクタ
１０１  端子
１０２  導電シート
２００  電気供給基板
２０１  電気入力コネクタ
２０２  電気出力コネクタ
２０３  導電接点
１０    電気コネクタ
１１    端子
１２    導電シート
２０    電気供給基板
２１    導電接点
２２    電子部品
２３    電気入力コネクタ
２４    電気出力コネクタ
３０    基板
３１    スロット
４０    モールド成型部材
【図１】
0003138936.tif 000003
【図２】
0003138936.tif 000004
【図３】
0003138936.tif 000005
【図４Ａ】
0003138936.tif 000006
【図４Ｂ】
0003138936.tif 000007
【図５】
0003138936.tif 000008
【図６】
0003138936.tif 000009